(57)【特許請求の範囲】
【請求項１】
被電解水に浸漬した電極間に電流を流して次亜塩素酸を含む電解水を生成する電解水生成装置と、生成した電解水のミストを空中に浮遊しにくい程度の粒子径で噴霧する浴室洗浄用ノズルと、浴室内の空気を吸い込んで屋外に排出する換気ファンとを具備する浴室洗浄装置であって、上記換気ファンは、浴室内に噴霧される電解水のミストを吸い込まない程度の小風量で浴室内の空気を換気する小風量モードと、浴室内の空気を大風量で換気する大風量モードとの間で風量設定を可変可能とすると共に、上記電解水生成装置への通電時には上記小風量モードで換気ファンを駆動させて、上記電解水生成装置への通電により上記電極において発生した水素ガスを屋外に排出するための制御部を備えていることを特徴とする浴室洗浄装置。
【請求項２】
上記電解水のミストの粒子径を、１００〜３００μｍに設定したことを特徴とする請求項１記載の浴室洗浄装置。
【発明の詳細な説明】
【技術分野】
【０００１】
本発明は、次亜塩素酸を含む電解水を用いて浴室を洗浄する浴室洗浄装置に関するものである。
【背景技術】
【０００２】
従来より、送風機内部に電解水生成装置を一体に組み込み、送風機及び電解水生成装置を個別に制御して、換気運転モードと、浴室内に電解水を噴霧することにより浴室内の除菌・清掃を行う電解水噴霧運転モードと、換気扇掃除運転モードとを行うようにした浴室換気扇が知られている（例えば、特許文献１参照）。
【０００３】
ところが上記特許文献１に見られる従来例では、換気を行わない状態で長時間の電解水噴霧を継続すると、電解水を生成する際に発生する水素ガスが浴室内に滞留するおそれがある。水素ガスは可燃性であるため滞留蓄積されないようにする必要がある。そこで、水素ガスが滞留しないように換気を行いながら電解水噴霧を行うと、浴室内に噴霧された電解水が換気経路を形成する換気用ダクト内に流入して水滴となって結露し、換気用ダクト出口のベントキャップから結露水が浴室外部の廊下等に滴下するという問題がある。
【先行技術文献】
【特許文献】
【０００４】
【特許文献１】特開２００６−２９２１８３号公報
【発明の概要】
【発明が解決しようとする課題】
【０００５】
本発明は上記の従来の問題点に鑑みて発明したものであって、換気用ダクトが結露しにくい状態を維持しながら、電解水生成装置への通電により発生する水素ガスが浴室内に滞留蓄積されることがない浴室洗浄装置を提供することにある。
【課題を解決するための手段】
【０００６】
前記の課題を解決するために、本発明は、被電解水に浸漬した電極間に電流を流して次亜塩素酸を含む電解水を生成する電解水生成装置６と、生成した電解水のミストを空中に浮遊しにくい程度の粒子径で噴霧する浴室洗浄用ノズル４と、浴室１３内の空気を吸い込んで屋外に排出する換気ファン４２とを具備する浴室洗浄装置であって、上記換気ファン４２は、浴室１３内に噴霧される電解水のミストを吸い込まない程度の小風量で浴室１３内の空気を換気する小風量モードと、浴室１３内の空気を大風量で換気する大風量モードとの間で風量設定を可変可能とすると共に、上記電解水生成装置６への通電時には上記小風量モードで換気ファン４２を駆動させて、上記電解水生成装置６への通電により上記電極において発生した水素ガスを屋外に排出するための制御部３９を備えていることを特徴としている。
【０００７】
このような構成とすることで、小風量モードにおいて電解水の水滴が換気ファン４２で吸い込まれず、換気用ダクト４１が結露しにくい状態を維持しながら、換気用ダクト４１出口の圧力が浴室１３内の圧力より高い時にも、換気ファン４２による浴室１３内から屋外に向けての通風は維持されるから、電解水生成装置６への通電により発生する水素ガスが浴室１３内に滞留蓄積されることを防止できる。
【０００８】
また、上記電解水のミストの粒子径を、１００〜３００μｍに設定するのが好ましい。
【発明の効果】
【０００９】
本発明は、電解水生成装置の通電中は換気ファンを小風量モードで継続運転することで、電解水噴霧時に発生する拡散しやすい水素ガスを浴室外に排出できて水素ガスが浴室内に滞留蓄積することがなく安全性が確保されるものであり、一方、小風量モードで換気運転されるため、浴室内に噴霧される洗浄液が換気用ダクト内に流入しにくくなり、換気ファン側で結露が発生するのを防止できるものである。
【図面の簡単な説明】
【００１０】
【図１】本発明のミストサウナ用ノズルと浴室洗浄用ノズルとからなるミスト噴霧装置を備えた浴室暖房乾燥機の配管図である。
【図２】同上の浴室暖房乾燥機の概略構成図である。
【図３】同上の浴室暖房乾燥機を浴室の天井部に設置した場合の斜視図である
【図４】同上の暖房機本体、電解水生成装置、ミスト噴霧装置、換気ファン等を制御する制御部の説明図である。
【図５】同上の制御部による浴室洗浄時のフローチャートである。
【図６】同上の浴室洗浄用ノズルの断面図である。
【図７】（ａ）は同上の浴室洗浄用ノズル内部に組み込まれるノズルチップを示し、（ｂ）のＥ−Ｅ線に沿う断面図であり、（ｂ）は（ａ）の側面図である。
【図８】（ａ）は同上のノズルチップの斜視図であり、（ｂ）は洗浄液が旋回流となってノズルチップの流入溝からテーパ部を経て噴射穴内に流入する状態を説明する一部破断斜視図である。
【発明を実施するための形態】
【００１１】
以下、本発明を添付図面に示す実施形態に基いて説明する。
【００１２】
図１は本発明のミスト噴霧装置を備えた浴室暖房乾燥機の配管例であり、図２は浴室暖房乾燥機の構成図であり、図３は浴室暖房乾燥機の設置例の説明図である。
【００１３】
本実施形態の浴室洗浄装置１は、ミストサウナとしての機能、浴室暖房換気装置としての機能、次亜塩素酸を含む電解水による浴室洗浄機能をそれぞれ備えており、浴室１３の天井部に設置される。なお図３中の１５は浴室１３外に設置されるリモコン操作部であり、ミストサウナ運転スイッチ、浴室洗浄スイッチ、暖房運転スイッチ、換気運転スイッチ、乾燥運転スイッチ、涼風運転スイッチ等のスイッチ類（図示せず）が設けられている。
【００１４】
浴室洗浄装置１は、図１に示すように、浴室１３内に温風を供給する暖房機本体２と、通電により次亜塩素酸を含む電解水を生成する電解水生成装置６と、ミストサウナ用ノズル１０と浴室洗浄用ノズル４とを備えるミスト噴霧装置３と、浴室１３内の空気を吸い込んで屋外に排出する換気ファン４２と、これらを制御する制御部３９（図４）とで主体が構成されている。
【００１５】
制御部３９は、リモコン操作部１５から指令されるリモコン信号以外に、浴室温度センサー９、温水往き温度センサー１７、ミスト温度センサー１８、温水戻り温度センサー２１からの各検知信号を受信すると共に、各検知結果に基づいて暖房機本体２、ミスト噴霧装置３の電磁弁２２、２３、電解水生成装置６、換気ファン４２等の各構成部品を駆動制御するマイクロコンピュータにより構成される。
【００１６】
換気ファン４２は、図２に示すように、換気用ダクト４１内に設けられ、換気ファン４２と換気用ダクト４１の換気出口との間に、逆風圧などによる屋外からの空気の逆流を防止する逆流防止シャッター２４を備えている。逆流防止シャッター２４は換気時には換気による風圧により支点を中心に揺動することで開放され、換気を停止すると自重により換気用ダクト４１を閉塞し、外気が浴室１３内に侵入することを防止する。換気時に、ファンモータ３５を作動させると浴室１３内の空気は換気ファン４２により換気用ダクト４１及びベントキャップ４０を経て、浴室１３外の屋外空間に放出されるようになっている。
【００１７】
本浴室洗浄装置１の機器ケーシング２５内には、図１に示すように、循環ファン５と、循環ファン５により通風される空気を熱源機１４（図３）から供給される温水により加熱する暖房用熱交換器７と、暖房用熱交換器７への温水の供給量を調節する熱動弁８とがそれぞれ収納されている。暖房用熱交換器７は、熱源機１４からの温水が循環する暖房用温水管路１６の途中に配置され、熱動弁８を開放することで、循環ファン５からの風が暖房用熱交換器７により加熱されて、下方の温風吹き出し口３１に設けた可動ルーバー３０（図２）から浴室１３内に供給されるようになっている。さらに暖房用温水管路１６の途中には、機器ケーシング２５上に設置されるミストボックス３２内に収納された液々熱交換器からなるミスト用熱交換器１１を加熱するためのミスト加熱用温水管路１９が分岐接続されている。ミスト加熱用温水管路１９の上流端は暖房用温水管路１６の熱動弁８よりも上流位置に分岐接続され、ミスト加熱用温水管路１９の下流端は暖房用温水管路１６の暖房用熱交換器７よりも下流位置に合流している。
【００１８】
さらに上記ミストボックス３２から機器ケーシング２５に亘って、浴室洗浄兼ミスト用給水管路２０が配管されており、この管路途中にミスト用熱交換器１１が配置されている。浴室洗浄兼ミスト用給水管路２０のミスト用熱交換器１１よりも上流側は、後述する電解水生成装置６を介して、外部の水道管に接続されている。浴室洗浄兼ミスト用給水管路２０のミスト用熱交換器１１よりも下流側の部分はミストサウナ用電磁弁２２及び浴室洗浄用電磁弁２３の２方向に分岐し、ミストサウナ用電磁弁２２の下流側にはミストサウナ用ノズル１０が接続され、浴室洗浄用電磁弁２３の下流側には浴室洗浄用ノズル４が接続されている。これら浴室洗浄用ノズル４及びミストサウナ用ノズル１０は、それぞれ、機器ケーシング２５下面の開口孔から浴室１３内に臨んで配置されている。本例では、ミストサウナ用電磁弁２２が開弁した時には粒子径が５０〜１００μｍ程度の水滴が噴霧されミストサウナを楽しむことができ、浴室洗浄用電磁弁２３が開弁した時には浴室洗浄用ノズル４から粒子径が１００〜３００μｍ程度の水滴が噴霧されて浴室洗浄に供される。
【００１９】
また、上記暖房用温水管路１６から分岐されたミスト加熱用温水管路１９の途中には、ミスト加熱用温水管路１９からミスト用熱交換器１１に供給される水温が適切になったときにミスト用熱交換器１１に供給される温水の流量の調節を行う水比例弁１２と、ミスト用熱交換器１１からの循環温水の戻り温度を検知するための温水戻り温度センサー２１とがそれぞれ設置されている。なお、水比例弁１２を全閉にすることによりミスト用熱交換器１１に供給される温水を遮断することが可能である。さらにミスト用熱交換器１１から吐出する水の温度を検知するためのミスト温度センサー１８が設置されている。
【００２０】
上記電解水生成装置６は、被電解水に浸漬した電極間に電流を流して次亜塩素酸を含む電解水を生成する電解槽を備えたものであり、電解槽への直流電流の通電により、正極では、供給される水道水中に含まれる塩素イオン（２Ｃｌ−）が酸化反応により電子（２ｅ−）を奪われて塩素（Ｃｌ２）が発生すると共に、液中では、発生した塩素（Ｃｌ２）が水（Ｈ２Ｏ）と反応して殺菌作用がある次亜塩素酸（ＨＯＣｌ）が生成される。負極では、還元反応により水素イオン（２Ｈ＋）と電子（２ｅ−）とが結合して水素ガス（Ｈ２）が発生するものである。
【００２１】
次に、ミストサウナ運転開始動作の一例を説明する。リモコン操作部１５のミストサウナ運転スイッチを押すと制御部３９（図４）にミストサウナ運転開始を指令する信号が送られ、温水供給用の熱源機１４（図３）に運転信号を出し、熱源機１４が暖房運転を開始する。次いで、温風側の熱動弁８、ミスト側の水比例弁１２がそれぞれ開き、８０℃の循環温水が暖房用温水管路１６内及びミスト加熱用温水管路１９内を循環し始める。次いで、温水往き温度が６０℃以上になると、循環ファン５がＯＮとなり、浴室１３に温風を送る。その後、浴室温度が２５℃以上になるとミストサウナ用電磁弁２２を開いて、ミストサウナ用ノズル１０から湯水のミスト噴霧が開始される。
【００２２】
ここで、本例においては、ミストサウナ用ノズル１０から噴霧されるサウナ用ミストの水滴の粒子径を、５０〜１００μｍ程度とし、１００μｍ以下のものが大半を占めるようにミストサウナ用ノズル１０のノズル孔径と噴霧流量とを設定してある。具体的には、ミストサウナ用ノズル１０のノズルの孔径は０．７ｍｍ程度、噴霧流量は０．２５〜０．５リットル／分に設定してある。これによりサウナ用ミストの水滴が浴室空間を浮遊し易くなって、浴室床等に落下するまでの間に、該水滴（温水）と浴室１３内の空気との熱交換により浴室１３の空気の加熱が促進されるようになる。
【００２３】
次に、浴室洗浄運転動作の一例を説明する。以下、洗浄に用いる温水又は電解水を総称して、洗浄液と定義する。
【００２４】
先ず温水による浴室洗浄を説明する。リモコン操作部１５の浴室洗浄スイッチを押すと、制御部３９に浴室洗浄運転開始を指令する信号が送られ、温水供給用の熱源機１４（図３）に運転信号を出し、熱源機１４が暖房運転を開始する。次いで、ミスト側の水比例弁１２が開き、８０℃の循環温水がミスト加熱用温水管路１９内を循環し始め、ミスト用熱交換器１１に温水が供給される。その後、浴室洗浄用電磁弁２３を開いて、浴室洗浄用ノズル４から温水（洗浄液）のミスト噴霧を開始する。このように温水を噴霧することで、石鹸カスや皮脂等を効果的に洗い流すことが可能である。
【００２５】
なお、温水による洗浄では、温度が上昇してカビや雑菌等の微生物が繁殖しやすい状態にある。そこで、洗浄した後に浴室壁等の被洗浄物の温度を低下させるため、ミスト側の水比例弁１２を全閉とし、熱源機１４からの循環温水のミスト加熱用温水管路１９への流入を停止することで、ミスト用熱交換器１１の加熱が停止され、浴室洗浄用ノズル４から噴霧される洗浄液の温度は供給される水温（常温）程度にまで低下させることができる。
【００２６】
一方、洗浄効果をより高めるために、浴室洗浄運転中に、制御部３９からの指令により、電解水生成装置６に通電して次亜塩素酸を発生させ、次亜塩素酸が含まれた電解水を浴室洗浄用ノズル４から噴霧させる。これにより、次亜塩素酸の殺菌効果により、温水の場合と比較して、被洗浄物の殺菌をより効果的に行うことができる。
【００２７】
ここで、上記浴室洗浄用ノズル４から噴霧される洗浄液の水滴（温水又は次亜塩素酸を含む電解水）の粒子径については、空中に浮遊しにくい程度の１００〜３００μｍ程度とし、粒子径の平均値が１５０μｍ程度となるように浴室洗浄用ノズル４のノズル孔径と噴霧流量とが設定されている。以下、具体的に説明する。
【００２８】
例えば、粒子の平均粒子径が１５０μｍ程度であるミストを噴霧する具体的な構成は種々あるが、本実施形態では浴室洗浄用ノズル４のノズル本体６３内に、旋回流発生手段を設けたノズルチップ６０を備え、このノズルチップ６０の噴射穴６０ａから旋回流の噴霧を発生させる構成としている。さらに具体的には、図６に示すように、浴室洗浄用ノズル４は、筒状のノズル本体６３と、該ノズル本体６３内部に固定されるセラミック製のノズルチップ６０とを備える。本実施形態では、ノズル本体６３は銅にメッキを施し成形している。セラミック製のノズルチップ６０は、図７（ａ）（ｂ）に示すように、大略円筒形状とし、ノズルチップ６０の上流側端面に流入溝７０を有する筒部６６が形成され、ノズルチップ６０の下流側端面中央にノズル本体６３の出口６５に通じる噴口６０ｂが形成され、筒部６６から噴口６０ｂに向かってテーパ部６０ｃと噴射穴６０ａとが順次形成されている。噴射穴６０ａの穴径は筒部６６の内径よりも小さく設定され、テーパ部６０ｃは上流側端部が筒部６６の内周面に連続し且つ下流側端部が噴射穴６０ａの内周面に連続するような円錐面状に形成されている。
【００２９】
筒部６６の前端開放端は、ノズル本体６３内部に設けたスプリング６２で付勢されたクローザ６１によって閉じられている。筒部６６の周方向の２箇所には一対の流入溝７０が切欠形成されている。各流入溝７０は、筒部６６外周の流入溝入口７０ａから筒部６６の内面壁６０ｄの流入溝出口７０ｂに向けて形成されており、ノズル本体６３内に流入する洗浄液Ｗは流入溝７０を経由してノズルチップ６０内に流入する。
【００３０】
本実施形態では、流入溝入口７０ａと流入溝出口７０ｂとを結ぶ流入溝７０の中心線は、噴射穴６０ａを通る中心線Ｅ（図７（ｂ）、図８（ａ））ではなく、筒部６６の内面壁６０ｄ側に偏向させて流入溝７０が形成されている。つまり、流入溝７０の中心線が筒部６６の内面壁６０ｄに略平行となるように傾いているから、流入溝入口７０ａから流入して流入溝出口７０ｂを経てノズルチップ６０内に導入される洗浄液Ｗの流れは、図８の矢印で示す旋回流となってノズルチップ６０内に導入される。なお、噴射穴６０ａの直径は０．５〜１ｍｍ程度、流入溝７０の溝幅は０．５〜１ｍｍ程度にしてある。これにより、浴室洗浄用ノズル４において洗浄液Ｗが通過する最小狭部寸法（本実施形態では流入溝７０の溝幅）を０．５〜１ｍｍ程度とすることができるから、電解水生成装置６の電極において析出物が発生した場合にも、この析出物は浴室洗浄用ノズル４を容易に通過することができ、浴室洗浄用ノズル４における詰まりが防止できる。
【００３１】
一方、シャワーヘッドに微小穴を設けただけの噴霧方式で粒子径の平均値が１５０μｍ程度の水滴の噴霧を行う場合には上記微小穴の穴径は噴霧される水滴の粒子径程度まで小さくすることとなってしまうから、本実施形態に比べて析出物が詰まり易いものになってしまう虞があるものである。
【００３２】
つまり、本実施形態では上述のように旋回流方式の浴室洗浄用ノズル４を採用しているから、電解水生成装置６の電極において析出物が発生した場合にも、上記析出物が詰まりにくい構成となっている。
【００３３】
また、浴室洗浄用ノズル４に供給される洗浄液Ｗの流量は０．５〜２リットル／分に設定してあり、ノズル本体６３内に流入する洗浄液Ｗは、ノズルチップ６０の筒部６６の流入溝７０を通り、図８の矢印で示す旋回流となって筒部６６内面から噴射穴６０ａの内周面にかけて形成されるテーパ部６０ｃを経由して噴射穴６０ａに流入する。この旋回流Ｗは、テーパ部６０ｃを経由することでその回転半径を縮小しながら噴射穴６０ａ内に流入する。この流入する洗浄液Ｗは、噴射穴６０ａの内周面に旋回しながら衝突するため水滴が微細化され、噴口６０ｂから１００〜３００μｍ程度で粒子径の平均値が１５０μｍ程度の水滴となって噴射されるものである。
【００３４】
これにより、洗浄液の水滴が浴室１３の空気中に浮遊しにくくなって、この水滴の温度をできるだけ維持した状態で浴室壁などの洗浄対象物に到達するようになり、壁面の加熱が促進されて油汚れなどの汚れが落ちやすくなり、ぬめりや垢を十分に抑制できるようになる。
【００３５】
ところで、前述のように、電解水生成装置６への通電により、殺菌作用がある次亜塩素酸（ＨＯＣｌ）が得られるが、負極において水素ガス（Ｈ２）が発生する。この水素ガスの単位時間当たりの発生量は僅かであるが、水素ガスは可燃性であるため、密閉された浴室空間に滞留蓄積されると危険であるから、換気ファン４２によって浴室１３外部に放出する。
【００３６】
しかし、浴室洗浄時に電解水生成装置６から発生した水素ガスが密閉された浴室１３内に滞留しないように換気ファン４２を大風量で駆動すると、浴室１３内に噴霧された次亜塩素酸を含む電解水も一緒に吸い込まれてしまい、浴室洗浄効果が得られなくなるばかりか、換気用ダクト４１の出口のベントキャップ４０から結露水が浴室１３外部の廊下等に滴下するという問題もある。
【００３７】
そこで、本発明においては、換気ファン４２は、小風量モードと、浴室１３内の空気を大風量で換気する大風量モードとの間で風量設定を可変可能とすると共に、電解水生成装置６への通電時には制御部３９は小風量モードで換気ファン４２を駆動させるものである。制御部３９は、電解水生成装置６への直流電流の通電を指令すると共に、通風量が毎時１２ｍ３程度の小風量となるように、換気ファン４２を定風量駆動する。なお、換気ファン４２を定風量駆動するための制御に関する具体的な構成については、予め求めて制御部３９に記憶してある目標風量で通風された時の換気ファン４２の回転数を検出する回転数検出手段と換気ファン４２のモータに印加されている印加電圧の関係に基づき、通風量が目標風量となるように、換気ファン４２のモータに印加される電圧を変更調整するものであり、その詳細については特開２０００−３４６４３４号公報等で開示されているので、詳しい説明は省略する。
【００３８】
しかして、上記構成においては、電解水生成装置６への通電時には、換気ファン４２が、電解水のミストを吸い込まない程度の小風量モードで駆動されるため、水素ガスのみを屋外に排気できるようになる。例えば毎時１２ｍ３（毎分２００リットル）程度の小風量による換気によっては電解水の水滴が換気ファン４２で吸い込まれず、従って、換気用ダクト４１が結露しにくい状態を維持しながら、換気用ダクト４１出口（ベントキャップ４０）の圧力が浴室１３内の圧力より高い時にも、換気ファン４２による浴室１３内から屋外に向けての通風は維持されるから、電解水生成装置６への通電により発生する水素ガスが浴室１３内に滞留蓄積されることを防止できる。
【００３９】
なお、換気ファン４２の小風量モードでは毎時１２ｍ３（毎分２００リットル）程度の小風量とはいえども、換気ファン４２を定風量駆動しているから、屋外に強風が吹いたときに換気用ダクト４１出口が風圧帯中にあり、換気用ダクト４１出口の圧力が浴室１３内の圧力より高い時にも、換気ファン４２による浴室１３内から屋外に向けての通風は維持される。この状態においては、図２に示すように、逆流防止シャッター２４は換気ファン４２による小風量で換気が継続されるように僅かに開放されている。このとき、電解水生成装置６への直流電流の通電による水素ガスの発生量は僅かであり、水素ガスは拡散しやすい気体であるから、発生する水素ガスは、わずかに開放された逆流防止シャッター２４を通過し、換気ファン４２による通風により浴室１３内から屋外に順次排出されるようになる。この結果、浴室洗浄用ノズル４から噴霧される洗浄液のミストが換気用ダクト４１内に流入しにくく結露が起こりにくい状態を維持しながら、電解水生成装置６への直流電流の通電により発生する水素ガスが浴室１３内に滞留蓄積されることがないものである。
【００４０】
なお、本実施形態では１つの換気ファン４２を風量可変にする場合を説明したが、これに限らず、例えば、小風量用換気ファンと大風量用換気ファンとをそれぞれ備えるようにしてもよい。この場合、風量に応じていずれか一方の換気ファンを適宜選択することにより、小風量から大風量の広範囲に亘り換気ファンの駆動制御を安定に行うことができるため、下記技術的困難は伴わない。
【００４１】
しかし、浴室暖房換気装置としての機能を備えた浴室洗浄装置１において、浴室１３以外の居住空間用の換気設備としての機能を兼ね備える場合で、換気風量の最大値として毎時百数十ｍ３が要望されるときには、上記毎時１２ｍ３（毎分２００リットル）程度の風量による換気と毎時百数十ｍ３の風量による換気とを、一つの換気ファン４２により実行することになるから、小風量から大風量の広範囲に亘り換気ファン４２の駆動制御を安定に行うという技術的困難を伴う。
【００４２】
このような技術的困難を回避する為の他の実施形態を、以下説明する。
【００４３】
その一例を図５の制御フローに示す。本例では制御部３９は、先ず、電解水生成装置６の通電開始から第１の所定時間が経過した後に上記浴室洗浄用ノズル４からの電解水のミストの噴霧を一旦中断し、該中断時から第２の所定時間が経過した後に上記換気ファン４２の駆動を開始し、換気ファン４２の駆動開始から第３の所定時間が経過した後に換気ファン４２の駆動を停止すると共に上記浴室洗浄用ノズル４からの電解水のミストの噴霧を再開するように制御する。ここでは、換気ファン４２は大風量で駆動するものとする。
【００４４】
以下、第１の所定時間、第２の所定時間、第３の所定時間について順次説明する。
【００４５】
先ず、第１の所定時間は、電解水生成装置６への通電により洗浄液の噴霧を開始してから、洗浄液の噴霧を一旦中断するまでの時間であり、本例ではこの第１の所定時間が経過した時点で、電解水生成装置６への通電を停止する。
【００４６】
本例では、第１の所定時間は、電解水生成装置６への通電により発生する単位時間当たりの水素ガスの滞留蓄積量により決定され、電解水生成装置６への通電後、密閉された場合を想定した浴室１３に滞留蓄積される水素ガスの濃度が水素ガスの爆発下限界濃度（Ｌｏｗｅｒ  Ｅｘｐｌｏｓｉｏｎ  Ｌｉｍｉｔ、以下「ＬＥＬ」と称する）である４．１％［Ｖｏｌ％］に達するのに要する時間より短く設定され、本例では、面積が０．５坪で高さが２ｍの密閉された浴室１３においても通電後に滞留蓄積される水素ガスの濃度が、ＬＥＬの略２０分の１である０．２％［Ｖｏｌ％］からＬＥＬの略４分の１である１％［Ｖｏｌ％］に達するのに要する時間に設定されており、ＬＥＬに至る時間に比べて余裕を持って短く設定されている。
【００４７】
また、電解水生成装置６への通電により発生する水素ガスの滞留による、浴室１３が密閉されている場合の単位時間当たりの水素ガスの蓄積量が多い場合において、第１の所定時間として、単位時間当たりの水素ガスの蓄積量が少ないときと比べて、単位時間当たりの水素ガスの蓄積量が多いときの方を短く設定するようにしてもよい。
【００４８】
また本例においては、電解水生成装置６の通電時に負極の還元反応式（２Ｈ＋＋２ｅ−→Ｈ２）により表される水素ガスの発生量が電気量に比例する点に着目し、電解水生成装置６への通電電流を検出する電解電流検出手段（図示せず）を備えており、この電解電流検出手段により検出される電流の時間による積分値と比例した値に、調整設定されるようにしてある。
【００４９】
その具体例を以下説明する。通電後に滞留蓄積される水素ガスの濃度が所定の初期濃度から所定の終期濃度に達するのに要する時間を求めた時の電解電流検出手段により検出される電流の時間による積分値を基準電流積分値として制御部３９に予め記憶しておき、電解水生成装置６への通電開始時に、第１の所定時間設定用タイマをスタートさせると共に、電解電流検出手段により検出される電流値の時間積分を開始し、電解電流検出手段により検出される電流値の時間積分値が上記基準電流積分値と等しくなった時点の第１の所定時間設定用タイマの値を上記第１の所定時間として設定する。
【００５０】
より具体的には、例えば面積が０．５坪で高さが２ｍの密閉された浴室１３において通電後に滞留蓄積される水素ガスの濃度が、所定の初期濃度から所定の終期濃度（ＬＥＬの略２０分の１である０．２％［Ｖｏｌ％］からＬＥＬの略４分の１である１％［Ｖｏｌ％］）に達するのに要する時間を求めた時の上記電解電流検出手段により検出される電流の時間による積分値を基準電流積分値として制御部３９に予め記憶しておく。そして浴室洗浄装置１が浴室１３に設置された後において、電解水生成装置６への通電を開始してから、第１の所定時間設定用タイマをスタートさせると共に、電解電流検出手段により検出される電流値の時間積分を開始し、電解電流検出手段により検出される電流値の時間積分値が上記基準電流積分値と等しくなった時点の第１の所定時間設定用タイマの値を第１の所定時間として設定するようにしてある。
【００５１】
このとき、電流検出手段により検出される電流値の時間積分値が上記基準電流積分値と等しくなった時点の第１の所定時間設定用タイマの値を第１の所定時間として設定した時点においては、電解水生成装置６への通電後に第１の所定時間が経過していることになるから、第１の所定時間の設定と同時に、浴室洗浄用ノズル４からの洗浄液の噴霧が一旦中断されることになる。
【００５２】
上記第２の所定時間は、浴室洗浄用ノズル４からの洗浄液の噴霧を一旦中断してから、換気ファン４２の運転を開始するまでの時間であり、ここでは、洗浄液の噴霧を中断した後、浴室１３内に噴霧された洗浄液のミストの浮遊がほぼ無くなるのに要する時間より若干長い目の時間に設定されている。具体的には、水滴が浴室１３天井に設けられる浴室洗浄用ノズル４から浴室１３床まで落下するのに要する時間よりも長めの時間であり、浴室１３天井高さと水滴の粒子径とが決まれば落下時間が決まることから、この第２の所定時間を経過するまで換気ファン４２を駆動しないことで、浴室１３内に噴霧された電解水のミストが換気用ダクト４１に吸い込まれることがなく、結露防止を確実にできるものである。
【００５３】
なお、第２の所定時間経過した時点での、換気ファン４２を駆動する際の換気風量は、浴室１３に浮遊する洗浄液のミストがほぼ無くなっており、換気風量が大きい時も洗浄液のミストにより換気用ダクト４１が結露するおそれがないから、逆流防止シャッター２４の確実な開放、換気ファン４２の運転による騒音の大小、及び、水素ガス濃度の減少速度などに配慮して、適宜設定される。
【００５４】
また、浴室洗浄用ノズル４からの洗浄液の噴霧を中断している間の電解水生成装置６への通電については、洗浄液噴霧のための通水がない状態における通電であるから、通電が長時間に亘ると電解水生成装置６の正負電極間の電気抵抗に通電されることに起因するジュール熱による電解水生成装置６の温度上昇が問題になる場合があるが、第２の所定時間経過して換気ファン４２を定風量駆動した後であれば、水素ガスが浴室１３内に滞留蓄積することがないことから、上記ジュール熱による電解水生成装置６の温度上昇が問題にならない程度に暫時通電するようにしてあり、洗浄液噴霧を再開する時に備えて、電解水生成装置６で生成される次亜塩素酸の濃度を高めておくようにしてある。
【００５５】
上記第３の所定時間は、換気ファン４２の駆動を開始してから、洗浄液の噴霧を再開するまでの時間である。この第３の所定時間は、水素ガス濃度の減少速度により設定されるものであり、本例では、面積が２坪で高さが３ｍの浴室１３において、水素ガス濃度がＬＥＬの４分の１であったときに、第２設定風量の通風量の換気により水素ガス濃度がＬＥＬの２０分の１まで低下するのに要する時間に設定されている。
【００５６】
以上の第１〜第３の各時間は、浴室洗浄装置１が設置される浴室１３の大きさに合わせて、制御部３９に設けたスイッチの切替により設定可能に構成されており、施工者により設定される。
【００５７】
しかして、上記図５の制御フローを実行することで、電解水のミストを噴霧させる浴室洗浄時においては、電解水の水滴が換気ファン４２で結露しにくい状態を維持しながら、電解水生成装置６への通電により発生する水素ガスが浴室１３内に滞留蓄積されることを防止できる効果が得られる。特に換気を伴わないで電解水生成装置６への通電が行われている間に、電解水生成装置６で発生した水素ガスが浴室１３に滞留蓄積しても、水素ガス濃度が爆発下限界濃度に達する前に浴室１３の換気が実行されるから安全である。そのうえ浴室１３の換気を伴わないで電解水生成装置６への通電を行う場合に、単位時間に発生する水素ガスの量に応じて、換気を開始する時期（第１の所定時間）を適切に設定できるようになる。さらに浴室洗浄用に供給される水に含まれる塩素イオンなどのイオン濃度や電気伝導率によらず、水素ガスの滞留蓄積量がほぼ意図する値となるようにすることができ、洗浄液の噴霧時間が短すぎたり長すぎたりすることのない効率的な洗浄液の噴霧が実行できるようになる。
【００５８】
また本例では、一つの換気ファン４２を定風量駆動したり、停止したりするだけでよく、前記実施形態のように小風量から大風量の広範囲に亘り換気ファン４２の駆動制御を安定に行ったり、或いは小風量用換気ファンと大風量用換気ファンとを使い分けたりする必要がないため、換気ファンの制御の簡易化及び低コストを図ることができる利点もある。
【００５９】
ところで、前述のように、浴室洗浄用ノズル４からの洗浄液の噴霧を中断している間の電解水生成装置６への通電については、洗浄液噴霧のための通水がない状態における通電であるから、通電が長時間に亘ると電解水生成装置６の正負電極間の電気抵抗に通電されることに起因するジュール熱による電解水生成装置６の温度上昇が問題となる。そこで、電解水生成装置６への通電による上昇温度の測定を行うのが好ましい。
【００６０】
具体的には電解水生成装置６に電解槽温度センサー（図示せず）を備え、電解水生成装置６内に充填された水の温度を検出するように構成する。そして、洗浄液の噴霧、すなわち、電解水生成装置６への通水を伴う電解水生成装置６への通電時において、電解槽温度センサーが上限温度を検出したときには、制御部３９から浴室洗浄用電磁弁２３への開弁指令にも関わらず電解水生成装置６へ通水されない事態、例えば断水や浴室洗浄用電磁弁２３の故障などの通水異常事態が発生したものとみなして、電解水生成装置６への通電を停止し、さらにリモコン操作部１５で通水異常が発生した旨を報知することが可能である。これにより、ジュール熱による電解水生成装置６の温度上昇が問題にならないような通電制御が可能となる。
【符号の説明】
【００６１】
１  浴室洗浄装置
３  ミスト噴霧装置
４  浴室洗浄用ノズル
６  電解水生成装置
１３  浴室
３９  制御部
４２  換気ファン
【図１】
0005452132.tif 000002
【図２】
0005452132.tif 000003
【図３】
0005452132.tif 000004
【図４】
0005452132.tif 000005
【図５】
0005452132.tif 000006
【図６】
0005452132.tif 000007
【図７】
0005452132.tif 000008
【図８】
0005452132.tif 000009